(57)【要約】【課題】撮影画像と撮影情報の対応を一目で分かるようにし、特にインデックスプリント画像において従来のものより遥かに視認性を向上させ、印刷した撮影画像を管理する画像管理作業を円滑に行うことを可能とする。【解決手段】デジタルカメラは、撮影画像に関連付けられる撮影情報の複数の区分に対応付けて撮影情報の印刷表示色を記憶する色データテーブルを格納した不揮発性メモリ５６と、撮影画像を記憶する記録媒体２００（２１０）と、強調表示対象の撮影情報を指定する操作部７０と、指定された撮影情報の印刷表示色を色データテーブルから選択すると共に、記録媒体２００（２１０）を介して撮影情報を撮影画像に関連付けてプリンタにより印刷する際に、撮影情報を前記選択された印刷表示色で印刷可能に、撮影情報の印刷表示色を示す情報を記録媒体２００（２１０）に記憶する制御を実行するシステム制御回路５０とを備える。【選択図】      図１
2004187239.tif 000002
【特許請求の範囲】
【請求項１】
撮影画像に関連付けられる撮影情報の複数の区分に対応付けて前記撮影情報の印刷表示色を格納する色格納手段と、強調表示対象の撮影情報を指定する指定手段と、前記指定された前記撮影情報の印刷表示色を前記色格納手段から選択すると共に、前記撮影情報を撮影画像に関連付けて印刷装置により印刷する際に、前記撮影情報を前記選択された印刷表示色で印刷可能に制御する制御手段とを有することを特徴とする撮影情報処理装置。
【発明の詳細な説明】
【０００１】
【発明の属する技術分野】
本発明は、デジタルカメラで撮影した画像に撮影情報を付加してプリントする場合におけるプリント表示内容に対する制御に適用して好適な撮影情報処理装置に関する。
【０００２】
【従来の技術】
従来、カメラで撮影した画像をフイルムに印画する印画工程において、撮影時のさまざまな撮影情報（撮影日時、露出データ等の情報）を画像に付加して印画することが可能なプリントシステムがある。この種のプリントシステムにおける撮影情報の印画は、記録媒体に画像と共に記録されている撮影情報を印画工程において記録媒体から読み出し、読み出した撮影情報を文字や図形やキャラクタなどに変換し画像に付加してフイルムに印画することで実現している。
【０００３】
上記の撮影情報を記録する記録媒体としては、メモリカード等の通常の記録媒体の他に、例えば銀塩フイルムを使用した銀塩フイルムカメラでは、ＡＰＳ（Ａｄｖａｎｃｅｄ  Ｐｈｏｔｏ  Ｓｙｓｔｅｍ）のように銀塩フイルム上に磁気記録部を形成したものがある。銀塩フイルム上に磁気記録部を形成しておくことで、カメラに搭載した磁気ヘッドを用いて上記磁気記録部に磁気情報（撮影情報）を記録し、該記録された撮影情報をもとにフイルム現像所において現像工程の設定を変更したり、プリント画像の一部に撮影情報を表示（印刷）したりすることを可能としている。
【０００４】
また、銀塩フイルムカメラに限らず、昨今のデジタルカメラにおける印画工程はより簡略化されており、撮影した画像情報は直接デジタルカメラからプリンタへ配信することでプリンタからプリント出力したり、撮影した画像情報を記録媒体となるメモリカード等を介してＰＣ（パーソナルコンピュータ）において展開し、展開した画像情報をＰＣからプリンタへ送信することでプリンタからプリント出力したりすることができる。
【０００５】
更に、デジタルカメラで撮影した画像やフォトＣＤ画像などの、いわゆるフォトイメージデータをプリンタによって出力する場合は、撮影時に画像情報をデジタルカメラ及びプリンタに着脱可能なメモリカード等の記録媒体に記録しておき、ＰＣを介さずにプリンタにおいて上記記録媒体から直接画像情報を取得し、プリンタの操作パネルから所定操作を行うことによりプリント出力することも可能となっている。このような場合に用いられる代表的なプリンタとしては熱昇華型プリンタがあり、熱昇華型プリンタを用いることにより写真に近い画質のプリント画像を得ることができる。
【０００６】
上記いずれの場合も、撮影情報を画像と共に記録媒体に記録しておき、記録媒体から画像及び撮影情報を読み出して、印画工程において画像と撮影情報を同時に印画することが可能である。
【０００７】
図１４は画像と撮影情報を印画紙の同一面に印画したプリント画像の一例を示す図である。図中、撮影画像（人物画像）の下部に記されている文字が撮影情報として印刷された場合の一例である。この場合、撮影情報として撮影日時（２００１．１２．２４）と撮影時のタイトル（Ｃｈｒｉｓｔｍａｓ）と撮影時の露出データ（Ｔｖ値：１／２５０、Ａｖ値：５．６）とを、撮影画像と共に印刷している。
【０００８】
他方、上述したプリントシステムに関する別の従来例として、複数の画像を１枚の印画紙に一覧できるように配列してプリントするインデックスプリントに関するさまざまな提案がなされている。各種提案のうち第１の従来例としては、写真フイルムに複数の画像と撮影情報をインデックスプリントにより展開した提案が開示されている（例えば、特許文献１参照。）。また、第２の従来例としては、インデックスプリントされた各々の画像に対する撮影情報を付加して表示する提案が開示されている（例えば、特許文献２参照。）。更に、第３の従来例としては、アスペクト比（画像の縦横比）をインデックスプリントにより展開して表示し、表示領域区分の配色を変えた提案が開示されている（例えば、特許文献３参照。）。
【０００９】
【特許文献１】
特許第２７４０３７１号
【特許文献２】
特開平８−５０３３６号公報
【特許文献３】
特開平８−１１０５９６号公報
【００１０】
【発明が解決しようとする課題】
しかしながら、上記従来例においては次のような問題があった。上記従来例において、１枚の印画紙に単一の撮影画像をプリントしたプリント写真や、１枚の印画紙に複数の撮影画像を配列してプリントしたインデックスプリント写真により、撮影後の画像確認及び撮影情報に基づく写真管理を行う場合、上記図１４に示したように撮影画像と共に印字される、文字と数値或いはキャラクタにより構成された撮影情報は、印画紙における限られた印画領域に配置されるものである。そのため、撮影情報に基づく複数の撮影画像同士の比較及び判断を行う観点からは一目瞭然とは言いがたい。
【００１１】
例えば、複数のプリント写真の中から撮影日付によって所望のプリント写真を取り分けたいときのように、即ち、複数のプリント写真の中から撮影情報としての撮影日付が印字された撮影日付表示部分をチェックし撮影日付と撮影時刻毎にプリント写真を並べ替える作業や、露出データ（シャッタ速度、絞り値）によってプリント写真を並べ替える作業や、使用したレンズの種類によってプリント写真を並べ替える作業や、特定した撮影モードで撮影したプリント写真のみを抽出する作業を行いたいときなどのように、プリントアウトされた画像を撮影情報を基に管理していく作業工程において、その撮影情報の見易さは重要である。
【００１２】
しかし、カメラの撮影結果である上記印画紙に画像と共に印字される撮影情報において、露出データの変化量や設定値、撮影条件は、撮影者の意図が入ったものではないので、撮影後に撮影画像と撮影情報の関連付けを判断する場合は、撮影情報を構成する数値や文字を読み取るしかなく、煩雑である。また、印画紙に印字される撮影情報の種類が増加するほど、撮影情報の印字領域が小さくなるほど、撮影情報を構成する文字やキャラクタが小さくなるほど、画像管理が容易ではなくなる。
【００１３】
本発明は、上述した点に鑑みなされたものであり、撮影画像と撮影情報の対応を一目で分かるようにし、特にインデックスプリントにおいて従来のものより遥かに視認性を向上させ、印刷した撮影画像を管理する画像管理作業を円滑に行うことを可能とした撮影情報処理装置を提供することを目的とする。
【００１４】
【課題を解決するための手段】
上記目的を達成するため、本発明は、撮影画像に関連付けられる撮影情報の複数の区分に対応付けて前記撮影情報の印刷表示色を格納する色格納手段と、強調表示対象の撮影情報を指定する指定手段と、前記指定された前記撮影情報の印刷表示色を前記色格納手段から選択すると共に、前記撮影情報を撮影画像に関連付けて印刷装置により印刷する際に、前記撮影情報を前記選択された印刷表示色で印刷可能に制御する制御手段とを有することを特徴とする。
【００１５】
【発明の実施の形態】
先ず、本発明の実施の形態の詳細を説明する前に本実施形態の概要を説明する。
【００１６】
本実施形態は、デジタルカメラで撮影した画像に撮影情報を付加して記録媒体に記憶し、プリンタにより記録媒体から撮影画像と撮影情報を読み出してプリントし、プリントされた画像を確認する場合において、撮影者の強調したい撮影条件等を撮影情報に反映させ、撮影画像と撮影情報の関連付けを視覚的にわかり易くし、プリントした撮影画像を見易くし且つ画像管理を効率的に行うことができるようにするものである。具体的には、撮影画像と共にプリントされ表示される撮影情報を構成する文字やキャラクタ或いは文字表示部分の背景色が従来では固定色のみであることに着目し、撮影条件と撮影情報を関連付けて色分け表示を行い強調表示するものである。
【００１７】
また、本実施形態は、デジタルカメラ側での設定により撮影条件と撮影情報に関連付けを行い、撮影画像に撮影情報を付加してプリントした場合における撮影情報の印刷表示色の自動更新を行うものである。具体的には、デジタルカメラ側において撮影情報の印刷表示色を撮影者が任意に設定可能とし、その設定に応じてプリンタ側でプリントする撮影情報の印刷表示色を自動更新していき、撮影者の意図した配色にするものである。
【００１８】
以下、本発明の実施の形態を図面に基づいて詳細に説明する。
【００１９】
［第１の実施の形態］
先ず、本発明の第１の実施の形態を説明する。図１はデジタルカメラの構成例を示すブロック図である。デジタルカメラを構成する画像処理装置１００は、撮影レンズ１０、シャッタ１２、撮像素子１４、Ａ／Ｄ変換器１６、タイミング発生回路１８、画像処理回路２０、メモリ制御回路２２、画像表示メモリ２４、Ｄ／Ａ変換器２６、画像表示部２８、画像データメモリ３０、画像ファイル生成部３２、露光制御手段４０、測距制御手段４２、フラッシュ４８、システム制御回路５０、外部メモリ５２、表示部５４、不揮発性メモリ５６、モードダイアルスイッチ６０、シャッタスイッチＳＷ１・６２、ＳＷ２・６４、画像表示ＯＮ／ＯＦＦスイッチ６６、画像変更ＯＮ／ＯＦＦスイッチ６８、操作部７０、電源制御手段８０、電源８６、インタフェース９０、９４、記録媒体着脱検知手段９８、光学ファインダ１０４、通信手段１１０、コネクタ（アンテナ）１１２等を備えている。図中２００、２１０は記録媒体である。
【００２０】
上記各部の構成を説明すると、デジタルカメラを構成する画像処理装置１００において、撮影レンズ１０は、撮影に伴い被写体の光学像を透過させる。シャッタ１２は、絞り機能を備えている。撮像素子１４は、光学像を電気信号に変換するものであり、例えばＣＣＤ（Ｃｈａｒｇｅ  Ｃｏｕｐｌｅｄ  Ｄｅｖｉｃｅ）等から構成されている。Ａ／Ｄ変換器１６は、撮像素子１４から出力されるアナログ信号をデジタル信号に変換する。タイミング発生回路１８は、撮像素子１４、Ａ／Ｄ変換器１６、Ｄ／Ａ変換器２６にクロック信号や制御信号を供給するものであり、メモリ制御回路２２及びシステム制御回路５０により制御される。
【００２１】
画像処理回路２０は、Ａ／Ｄ変換器１６から出力されるデータ或いはメモリ制御回路２２から出力されるデータに対して所定の画素補間処理や色変換処理を行う。また、画像処理回路２０においては、撮影した画像データを用いて所定の演算処理を行い、得られた演算結果に基づいてシステム制御回路５０が露光制御手段４０や測距制御手段４２に対して行う制御のもと、ＴＴＬ（スルー・ザ・レンズ）方式のＡＦ（オートフォーカス）処理、ＡＥ（自動露出）処理、ＥＦ（フラッシュ発光）処理を行っている。更に、画像処理回路２０においては、撮影した画像データを用いて所定の演算処理を行い、得られた演算結果に基づいてＴＴＬ方式のＡＷＢ（オートホワイトバランス）処理も行っている。
【００２２】
メモリ制御回路２２は、Ａ／Ｄ変換器１６、タイミング発生回路１８、画像処理回路２０、画像表示メモリ２４、Ｄ／Ａ変換器２６、画像データメモリ３０、画像ファイル生成部３２を制御する。Ａ／Ｄ変換器１６から出力されるデータが画像処理回路２０、メモリ制御回路２２を介して、或いはＡ／Ｄ変換器１６から出力されるデータが直接メモリ制御回路２２を介して、画像表示メモリ２４或いは画像データメモリ３０に書き込まれる。画像表示メモリ２４は、Ａ／Ｄ変換器１６から出力されるデータを記憶する。Ｄ／Ａ変換器２６は、メモリ制御回路２２から出力されるデジタル信号をアナログ信号に変換する。画像表示部２８は、例えばＴＦＴ（Ｔｈｉｎ  Ｆｉｌｍ  Ｔｒａｎｓｉｓｔｏｒ）型カラーＬＣＤ等から構成され、画像データを表示する。画像表示メモリ２４に書き込まれた表示用の画像データは、Ｄ／Ａ変換器２６を介して画像表示部２８により表示される。
【００２３】
画像表示部２８は、デジタルカメラの背面に配設されており、撮影後の画像を確認するための表示や、システム制御回路５０との通信によりさまざまな情報を報知する際の表示を行う。本発明に関わる撮影情報をプリントする際にその配色を指定した場合の撮影情報のカラー表示は、画像表示部２８において行われる。画像データメモリ３０は、撮影した静止画像データを格納するためのメモリであり、所定枚数の静止画像データを格納するのに十分な記憶量を備えている。これにより、記録媒体２００或いは記録媒体２１０から複数枚の画像データを連続して読み込んで画像を再生する際に撮影情報も同時に再生することを可能とした高速且つ大量の画像データ書き込みを、画像データメモリ３０に対して行うことが可能となる。また、画像データメモリ３０は、システム制御回路５０の作業領域としても使用することが可能である。
【００２４】
画像ファイル生成部３２は、画像データを圧縮伸長しファイル化するものであり、画像データメモリ３０に格納された画像を読み込んで圧縮処理或いは伸長処理を行い、処理を終えたデータを画像データメモリ３０に書き込む。画像ファイル生成部３２は、画像データメモリ３０に格納されたＲ、Ｇ、Ｂ  の画像データを輝度信号Ｙ及び色差信号ＣからなるＹＣデータに変換して、ＹＣデータを例えばＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）  形式により圧縮し画像ファイルを生成する。具体的には、例えば画像データメモリ３０からの「数（ＭＢｙｔｅ）」の画像データは、ＹＣ変換及びＤＣＴ（Ｄｉｓｃｒｅｔｅ  Ｃｏｓｉｎｅ  Ｔｒａｎｓｆｏｒｍ：離散コサイン変換）、ＡＤＣＴ（Ａｄｊｕｓｔ  Ｄｉｓｃｒｅｔｅ  Ｃｏｓｉｎｅ  Ｔｒａｎｓｆｏｒｍ：適応離散コサイン変換）等によって元画像データの「１／数（ＭＢｙｔｅ）」のデータに圧縮され、更にハフマン符号などにおいて符号化されて「数（ＫＢｙｔｅ）」のデータファイルとして形成される。
【００２５】
上記の画像データメモリ３０に書き込まれた圧縮された画像データを読み出し、画像表示部２８に画像を表示することで、縮小されたサムネイル（ｔｈｕｍｂｎａｉｌ）画像となり、更に画像データメモリ３０から画像データを連続して読み出し、画像表示部２８に複数のサムネイル画像を並べて表示することで、インデックス画像（マルチ画像）としてモニタすることができる。
【００２６】
露光制御手段４０は、絞り機能を備えるシャッタ１２を制御するものであり、フラッシュ４８と連携することによりフラッシュ調光機能も有するものである。測距制御手段４２は、撮影レンズ１０のフォーカシング（焦点調節）を制御するものであり、複数の測距点から選択された測距点に基づき測距を行い、撮影レンズ１０を駆動する。本実施形態では撮影レンズ１０をデジタルカメラ一体型とした場合を例に挙げているが、撮影レンズ１０の取付部にレンズ通信接点を設けることで撮影レンズ１０をデジタルカメラに対し着脱自在に交換可能な構造とし、デジタルカメラ側において撮影レンズ１０の駆動制御を行う構成とする場合にも適用可能である。露光制御手段４０、測距制御手段４２は、ＴＴＬ方式を用いて制御されており、撮影した画像データを画像処理回路２０によって演算した演算結果に基づき、システム制御回路５０が露光制御手段４０、測距制御手段４２に対して制御を行う。
【００２７】
フラッシュ４８は、ＡＦ補助光の投光機能、フラッシュ調光機能も有する。このフラッシュ４８は、デジタルカメラの外部に取り付けされる外部取付型のストロボの通信接点を介してストロボに接続することで、デジタルカメラ側と外部取付型のストロボとの間の相互通信を行う構成も含めている。
【００２８】
システム制御回路５０は、デジタルカメラの画像処理装置１００全体を制御するものであり、内部にＲＯＭ、ＲＡＭ、Ａ／Ｄコンバータ、Ｄ／Ａコンバータ、時計機能を有するマイクロコンピュータを備えている。また、システム制御回路５０は、外部メモリ５２に格納されたプログラムに基づき後述の各フローチャートに示す処理を実行する。外部メモリ５２は、システム制御回路５０の動作用の定数、変数、プログラム等を記憶するメモリである。システム制御回路５０において、本発明に関わる撮影情報の印刷表示色データ、撮影時の設定値、日付や時間等の撮影環境、撮影条件等を外部メモリ５２や不揮発性メモリ５６の記憶内容と照合しながら、撮影画像と撮影情報の管理が行われる。また、デジタルカメラに直接プリンタ（印刷装置）を接続して撮影画像と撮影情報を印刷する場合のプリントフォーマットとしては、システム制御回路５０内部の印刷設定プログラムにおいて後述するインデックスプリント用のフォーマットと１コマプリント（１枚プリント）用のフォーマットが決められており、印刷時に選択が可能である。
【００２９】
表示部５４は、システム制御回路５０におけるプログラムの実行に応じて、文字や画像等を用いて動作状態やメッセージ等を表示する液晶表示装置、所定の音声を出力するスピーカ等として構成されている。表示部５４は、画像処理装置１００の操作部近辺の視認し易い位置に単数或いは複数配設されており、例えばＬＣＤやＬＥＤ、発音素子等の組み合わせにより構成されている。また、表示部５４は、その一部の機能が光学ファインダ１０４内に備えられている。
【００３０】
表示部５４における表示内容のうち、ＬＣＤ等に表示するものとしては、単写／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信インタフェース動作表示、日付表示・時刻表示、等がある。また、表示部５４における表示内容のうち、一部の情報を画像表示部２８にも表示することが可能である。
【００３１】
不揮発性メモリ５６は、電気的にデータを消去・記憶可能なメモリであり、例えばＥＥＰＲＯＭ等が用いられる。後述する撮影情報と配色指定の設定情報は、この不揮発性メモリ５６において記憶され、撮影者の個人データとして登録することも可能である。各種操作手段６０、６２、６４、６６、６８及び７０は、システム制御回路５０に対する各種の動作指示を入力するためのものであり、スイッチやダイアル、タッチパネル、視線検知によるポインティング、音声認識装置等の単数或いは複数の組み合わせで構成されている。
【００３２】
モードダイアルスイッチ６０は、電源オフ、自動撮影モード、撮影モード（Ｍ＝マニュアル、Ｔｖ＝シャッタ優先ＡＥ、Ａｖ＝絞り優先ＡＥ、Ｐ＝プログラムＡＥ）、パノラマ撮影モード、再生モード、マルチ画面再生・消去モード、ＰＣ接続モード等の各機能モードを切り替え設定することができる。シャッタスイッチＳＷ１・６２は、不図示のシャッタボタンの操作途中でＯＮとなり、ＡＦ処理、ＡＥ処理、ＡＷＢ処理、ＥＦ処理等の動作開始を指示するためのものである。シャッタスイッチＳＷ２・６４は、不図示のシャッタボタンの操作完了でＯＮとなり、撮像素子１４から読み出した信号をＡ／Ｄ変換器１６、メモリ制御回路２２を介して画像データメモリ３０に画像データとして書き込む露光処理、画像処理回路２０やメモリ制御回路２２での演算を用いた撮像処理、画像データメモリ３０から画像データを読み出し画像ファイル生成部３２で圧縮を行い、記録媒体２００或いは２１０に画像データを書き込む記録処理、といった一連の処理の動作開始を指示するためのものである。
【００３３】
画像表示ＯＮ／ＯＦＦスイッチ６６は、画像表示部２８のＯＮ／ＯＦＦを設定するためのスイッチである。画像変更ＯＮ／ＯＦＦスイッチ６８は、撮影直後に撮影した画像データを再生した場合、画像表示部２８に撮影画像のみの表示とするか、撮影画像と共に撮影情報を表示するか、の切り換えを設定するためのスイッチであり、画像表示部２８に対するインデックス画像（マルチ画像）の表示形態の変更もこの画像変更ＯＮ／ＯＦＦスイッチ６８で行うことができる。操作部７０は、各種ボタンやタッチパネル等から構成され、メニューボタン、セットボタン、マクロボタン、マルチ画面再生改ページボタン、フラッシュ設定ボタン、単写／連写／セルフタイマ切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。本発明に関わる撮影情報と対応させた印刷表示色の配色設定もこの操作部７０に含まれた各種ボタンで入力する。
【００３４】
電源制御手段８０は、電池検出回路、ＤＣ−ＤＣコンバータ、通電するブロックを切り換えるスイッチ回路等により構成されており、デジタルカメラに対する電池（電源８６）の装着の有無、電池の種類、電池残量の検出を行い、検出結果及びシステム制御回路５０の指示に基づいてＤＣ−ＤＣコンバータを制御し、必要な電圧を必要な期間、記録媒体２００、２１０を含むデジタルカメラ各部へ供給する。電源接続用コネクタ８２、８４は、デジタルカメラの電源制御手段８０と電源８６との接続を行う。電源８６は、アルカリ電池、リチウム電池等の一次電池、ＮｉＣｄ電池、ＮｉＭＨ電池、Ｌｉ電池等の二次電池、ＡＣアダプタ等から構成されている。
【００３５】
インタフェース９０は、メモリカードやハードディスク等の記録媒体２００とデジタルカメラとの間のインタフェースを司る。インタフェース９４は、メモリカードやハードディスク等の記録媒体２１０とデジタルカメラとの間のインタフェースを司る。コネクタ９２は、デジタルカメラと記録媒体２００との接続を行う。コネクタ９６は、デジタルカメラと記録媒体２１０との接続を行う。記録媒体着脱検知手段９８は、コネクタ９２に記録媒体２００が装着されているか否か、或いはコネクタ９６に記録媒体２１０が装着されているか否かを検知する。
【００３６】
尚、本実施形態では、デジタルカメラに記録媒体を装着するためのインタフェース及びコネクタを２系統持つものとして説明しているが、勿論、デジタルカメラに記録媒体を装着するためのインタフェース及びコネクタは、単数或いは複数いずれの系統数を備える構成としても構わない。また、異なる規格のインタフェース及びコネクタを組み合わせてデジタルカメラに備える構成としても構わない。また、インタフェース及びコネクタとしては、外部記録媒体であるＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カードやＣＦ（コンパクトフラッシュ（登録商標））カード等の規格に準拠したものを用いて構成して構わない。
【００３７】
更に、上記のインタフェース９０及び９４、コネクタ９２及び９６をＰＣＭＣＩＡカードやＣＦカード等の規格に準拠したものを用いて構成した場合、ＬＡＮ（Ｌｏｃａｌ  Ａｒｅａ  Ｎｅｔｗｏｒｋ）カード、モデムカード、ＵＳＢ（Ｕｎｉｖｅｒｓａｌ  Ｓｅｒｉａｌ  Ｂｕｓ）カード、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４カード、Ｐ１２８４カード、ＳＣＳＩ（Ｓｍａｌｌ  Ｃｏｍｐｕｔｅｒ  Ｓｙｓｔｅｍ  Ｉｎｔｅｒｆａｃｅ）カード、ＰＨＳ（Ｐｅｒｓｏｎａｌ  Ｈａｎｄｙ−ｐｈｏｎｅ  Ｓｙｓｔｅｍ）等の通信カード、等の各種通信カードをデジタルカメラに接続することにより、デジタルカメラとコンピュータ等の情報処理装置やプリンタ等の周辺機器との間で画像データや画像データに付属した管理情報、例えば本発明に関わる撮影情報及び配色情報を転送し合うことができる。
【００３８】
光学ファインダ１０４は、画像表示部２８による画像モニタ機能を使用すること無しに、該光学ファインダ１０４のみを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、露出補正表示などの機能を備えている。通信手段１１０は、ＲＳ２３２Ｃ、ＵＳＢ、ＩＥＥＥ３９４、Ｐ１２８４、ＳＣＳＩ、モデム、ＬＡＮ、無線通信、等の各種通信機能を有するものであり、デジタルカメラの画像処理装置１００と他の機器との間の通信を司る。１１２は、通信手段１１０により画像処理装置１００を他の機器と接続するコネクタであり、或いは無線通信の場合はアンテナである。通信手段１１０がコネクタ１１２を介してプリンタ（図示略）に接続され、システム制御回路５０がプリンタにより印刷を行う印刷モードに設定されれば、プリンタから画像と撮影情報をプリントデータ化して印刷出力する。
【００３９】
記録媒体２００は、メモリカードやハードディスク等から構成されている。即ち、記録媒体２００は、半導体メモリや磁気ディスク等から構成され撮影画像及び撮影情報が記録される記録部２０２、画像処理装置１００とのインタフェースを司るインタフェース２０４、デジタルカメラの画像処理装置１００と接続を行うコネクタ２０６を備えている。記録媒体２１０は、メモリカードやハードディスク等から構成されている。即ち、記録媒体２１０は、半導体メモリや磁気ディスク等から構成され撮影画像及び撮影情報が記録される記録部２１２、デジタルカメラの画像処理装置１００とのインタフェースを司るインタフェース２１４、画像処理装置１００と接続を行うコネクタ２１６を備えている。
【００４０】
デジタルカメラにおいて、撮影画像と共に撮影情報（印刷表示色の配色設定情報を含む）を記録媒体２００或いは記録媒体２１０に記録し、記録媒体２００或いは記録媒体２１０から撮影画像及び撮影情報を再生可能なプリンタにより撮影画像及び撮影情報を印刷した場合、撮影画像の印刷と共にデジタルカメラにおいて設定された撮影情報に対応する色データも展開されて同時に印刷される。
【００４１】
次に、上記のように構成された第１の実施の形態のデジタルカメラにおける動作（撮影情報の１つである日付に対する印刷表示色の設定例）を図１乃至図８を参照しながら詳細に説明する。
【００４２】
図２（Ａ）、（Ｂ）はデジタルカメラで撮影し記録媒体に格納した画像を確認のために画像表示部２８に表示した場合の一例（従来例）を示す図である。図２（Ａ）は記録媒体から撮影済み画像を再生し縮小した複数のサムネイル画像を並べて表示したインデックス画像（マルチ画像）を示すものである。図示例では、画像表示部２８のモニタ画面を例えば９分割することで、Ｐ１からＰ９までの撮影済み画像をモニタ画面上で一覧できるようになっている。
【００４３】
図２（Ｂ）は操作部７０に含まれる画像選択スイッチ（再生画像選択ボタン）の操作により上記マルチ画像の中からＰ１画像が選択された場合に単独画像として表示したものである。図示例では、撮影時の撮影情報も画像と共に表示している。撮影情報としては、撮影日の日付と時間、撮影露出データ、露出補正の有無とその量、レンズＩＤ情報からの取付けレンズの種類、撮影レンズのズーム値、ストロボの有無とその種類、撮影時の光感度、撮影モード、自動ホワイトバランス補正（ＡＷＢ）の有無、画像圧縮率設定となる記録画素数、ファイルナンバー等がある。
【００４４】
図３はデジタルカメラのシステム制御回路５０或いは外部メモリ５２の内部に記憶されている画像表示色を示す配色データテーブル（パレットテーブル）の一例を示す図である。ＴＦＴ型カラーＬＣＤ等から構成される画像表示部２８に対する表示色は光の三原色であるＲ、Ｇ、Ｂに基づき構成されるものであり、Ｒ、Ｇ、Ｂの組み合わせ及び合成処理により各色が生成される。配色及び色階調については図示のものに限定されるものではなく、システム制御回路５０或いは外部メモリ５２の内部に記憶されるデータとの照合が可能であればその量は多くなっても構わない。図示のように文字色と背景色に配色データが分かれ、それぞれ択一的に選択される。
【００４５】
図４はデジタルカメラのシステム制御回路５０に接続される不揮発性メモリ５６の内部に記憶されている色データテーブルの一例を示す図である。色データテーブルに格納されている色データは、デジタルカメラ内部の時計機能を利用した日付に対応する撮影情報の色変数元データとなる。ここで、色変数元とは、予め所定の区分毎に色が設定されるもの（本例では日付）を示すものであり、図４に示すように撮影毎に変わる撮影情報（＝撮影条件）である日付の区分毎に色が対応付けられている。尚、撮影情報は、日付以外にも、撮影モード、Ｔｖ値、Ａｖ値、露出補正値、撮影レンズの種類、ストロボの有無、ＩＳＯ感度、ＡＷＢの有無、記録画素、ファイルナンバー等がある（図１２参照）。
【００４６】
画像データを記録する記録媒体２００或いは記録媒体２１０がデジタルカメラに装着された日付から時間のカウントを開始し、日付に対応して色データを更新していく。本例では、撮影初日を色データ「Ｃ１＝赤」に設定しており、日付が更新されるに伴い、色データ「Ｃ２＝青」、色データ「Ｃ３＝黄」、色データ「Ｃ４＝緑」と順番に更新していく。図４の色データテーブルの色データは、上記図３の配色データテーブル（パレットテーブル）のデータと照合され、画像確認のための撮影情報を表示する際に撮影情報に配色される。図４に示す日付に対応する色データはデジタルカメラの初期設定として不揮発性メモリ５６に記憶されており、デジタルカメラ側において再設定を行えば不揮発性メモリ５６の記憶内容が書き換えられ、撮影者の個人データとして登録することも可能である。
【００４７】
図５は上記図４の色データテーブルの色データをインデックスプリントによる複数の画像に対応させて展開表示した一例を示す図である。デジタルカメラの画像表示部２８のモニタ画面上に表示された、撮影情報（本例では日付）に関連付けられた色データは、プリンタによる印刷時に画像及び撮影情報と共に読み出され、プリンタにより図５のフォーマットで印刷される。本例では、予め決められたインデックスプリント用のフォーマットを使用し、撮影された例えば１８コマの縮小画像を印画紙１枚で一覧できるように印刷され、印画紙下部に設けられているインデックスプリントの標題欄ＴＩＴＬＥに例えば「カラーインデックスプリント」と印刷される。
【００４８】
図５において、デジタルカメラで撮影したＰ１画像〜Ｐ９画像の周囲のフレーム枠を、上記図４の色データテーブルの色データ（Ｃ１〜Ｃ４）に基づく表示色によりカラー表示している。図中Ｐ１画像とＰ２画像は記録媒体であるメモリカードがデジタルカメラに装着されてから最初の撮影日に２コマ撮影した場合を示し、それぞれのフレーム枠はＣ１の赤色により印刷表示されている。図中Ｐ３画像からＰ５画像は次の撮影日に３コマ撮影した場合を示し、日付の更新と共にそれぞれのフレーム枠はＣ２の青色により印刷表示されている。図中Ｐ６画像とＰ７画像は更に日付が更新されたときに１コマ撮影した場合を示し、それぞれのフレーム枠はＣ３の黄色において印刷表示されている。図中Ｐ８画像とＰ９画像も同様に、日付と表示色を関連付けた色データテーブルからＣ４の緑色が選択されフレーム枠の表示色となっている。更に撮影が進行した場合でも、同様に日付と関連付けた表示色を選択して印刷表示していく。
【００４９】
図５のように撮影済み画像を一覧表示することで画像確認を行うインデックスプリントでは、撮影画像と共に印刷表示されるフレーム枠の表示色を撮影日である日付と対応させているので、例えば１８分割されたインデックスプリントの表示においても撮影日の情報が一目瞭然となる。尚、インデックスプリントにおける撮影情報の表示色の表示形態としては図示のものに限定されるものではなく、図示以外に新たに文字やキャラクタを追加して印刷表示してもよい。例えば、画像内或いは画像周囲に色変数元となる撮影情報を印刷したり、撮影情報に対応する図形を印刷したりすることで、画像に対する撮影情報（本例では日付）の更新が印刷表示色として展開されれば目的を達成することができる。
【００５０】
図６（Ａ）〜（Ｃ）は１コマ画像を単独で印刷した場合の１コマプリントの一例を示す図であり、上記図５で示したインデックスプリントにおける複数の画像から画像を１枚ずつ選んで印刷した状態を示している。便宜上、撮影情報である撮影日の表示を拡大して画像の下部に示しているが、上記図２（Ｂ）に示した画像表示部２８のモニタ画面内に表示されるその他の撮影情報（例えば露出値）を同時に印刷しても、また画像に重ねて印刷しても構わない。
【００５１】
図６（Ａ）は、初期撮影日を仮に２００１年１２月２３日とした場合の画像印刷表示（図５のＰ１画像の選択時）を表しており、画像周囲のフレーム枠と、撮影情報を色分けして示すための撮影日情報文字部がＣ１＝赤色において表示されている。また、全体の背景色をＢＣ１、撮影日情報文字部の背景色をＢＣ２とし、Ｃ１（赤色）とは対照的な色を選択する。ＢＣ１、ＢＣ２もプログラム上の配色データから選択されており、基本的に固定色としてもよいが、強調したい撮影情報の表示色に対して同系色は避けるように設定される。
【００５２】
図６（Ｂ）は、次の撮影日を仮に２００１年１２月２４日とした場合の画像印刷表示（図５のＰ３画像の選択時）を表しており、画像周囲のフレーム枠と、撮影情報を色分けして示すための撮影日情報文字部がＣ２＝青色において表示されている。また、全体の背景色をＢＣ１、撮影日情報文字部の背景色をＢＣ２とし、Ｃ２（青色）とは対照的な色を選択する。
【００５３】
図６（Ｃ）は、次の撮影日を仮に２００２年１月１日とした場合の画像印刷表示（図５のＰ６画像の選択時）を表しており、画像周囲のフレーム枠と、撮影情報を色分けして示すための撮影日情報文字部がＣ３＝黄色において表示されている。また、全体の背景色をＢＣ１、撮影日情報文字部の背景色をＢＣ２とし、Ｃ３（黄色）とは対照的な色を選択する。
【００５４】
上記のように、予め所定の区分毎に色が設定される色変数元となる撮影情報である日付と画像周囲のフレーム枠を同一色により印刷し表示することで、画像と撮影情報の関連付けを容易に確認することができる。また、この場合は、日付以外の他の撮影情報は強調する必要は無いので通常の固定色とし、配色が重複しないように設定されることは言うまでもない。尚、図６に示す画像及び撮影情報は、デジタルカメラの画像表示部２８のモニタ画面上にも同様に表示することで、プリンタによる印刷前に予め画像確認を行うことができるようにしてもよい。その場合は、例えば図６（Ａ）の表示内容を画像表示部２８に表示中に、操作部７０の色設定ボタンの押下に基づき表示色を変更していき、次々に図３の配色データテーブル（パレットテーブル）と対応した表示色を設定できるようにしてもよい。
【００５５】
図７はデジタルカメラのシステム制御回路５０の動作を示すフローチャートである。本フローチャートに基づき、予め所定の区分毎に色が設定される色変数元となる撮影情報を日付とした場合の表示色履歴データの読み込み及び更新に関わる処理ルーチンを説明する。本処理ルーチンが開始されるのはデジタルカメラにおける撮影が終了した時であり、記録媒体には撮影画像と共に印刷表示色データが同時に記憶される。尚、本例では、色分けする撮影情報（撮影日）の印刷表示色が上記図４で示したように日付の区分に応じて変わるため履歴という用語を使用している。
【００５６】
先ず、ステップＳ１０１において、システム制御回路５０は撮影情報に設定されている色データをメモリから読み込む。この時のメモリは、色データが記憶されている上述した不揮発性メモリ５６や、システム制御回路５０に接続されるその他のメモリである。色データは、記録媒体に保存された画像データと共に記憶された印刷表示色データであり、印刷表示色と対応した表示色履歴データである。上記ステップＳ１０１で、色分けする撮影情報を示す設定が撮影日の設定になっていると判断した場合は、ステップＳ１０２に進み、システム制御回路５０は撮影日となる日付をチェックし、上記図４の色データテーブルで示したように、印刷表示色である表示色履歴データを更新するか否かの判定を行う。
【００５７】
上記ステップＳ１０２で日付が前回と異なっていると判断した場合は、システム制御回路５０は表示色履歴データを更新すると判断し、ステップＳ１０３に進み、上記図４の色データテーブルに基づき表示色履歴データを更新する。更新される表示色履歴データは、上記ステップＳ１０１においてメモリから読み出した画像に付加して記憶される印刷表示色データである。上記ステップＳ１０２で日付が前回と同じであると判断した場合は、システム制御回路５０は表示色履歴データを更新せずに、リターンして本処理を終了する。
【００５８】
上述したように、撮影情報（撮影日）の印刷表示色データ（表示色履歴データ）はデジタルカメラにおける撮影後に撮影画像と同時に記憶され、日付に応じて自動更新される。尚、本実施形態では、印刷表示色が更新される撮影情報を日付とした場合を説明したが、図１２に示すような日付以外のものとしてもよい。例えば撮影情報として露出値を変数として印刷表示色を設定した場合、上記ステップＳ１０２において露出値に基づいた表示色履歴データの照合を行えば露出値に対する印刷表示色の更新を行うことが可能である。
【００５９】
図８は印刷表示色設定モードにおける処理の具体的動作を示すフローチャートである。本フローチャートに基づき、印刷表示色設定モードにおける処理を説明する。デジタルカメラの操作部７０における色設定ボタンが押下されることで図８に示す印刷表示色設定モードとなり、システム制御回路５０は以下の動作を実行する。
【００６０】
先ず、ステップＳ２０１において、システム制御回路５０は記録媒体２００或いは２１０の動作状態がデジタルカメラの画像処理装置１００の動作、特に記録媒体２００或いは２１０に対する画像データの記録再生動作に問題があるか否かを判断する。上記ステップＳ２０１で記録再生動作に問題があると判断した場合は、ステップＳ２０２に進み、システム制御回路５０は表示部５４等により警告表示を行う。上記ステップＳ２０１で記録再生動作に問題が無いと判断した場合は、ステップＳ２０３に進み、システム制御回路５０は色データ及び撮影情報をメモリから読み込む。この時のメモリは、色データが記録されている上述した不揮発性メモリ５６や、システム制御回路５０に接続されるその他のメモリである。色データは、記録媒体に保存された画像データと共に記憶された印刷表示色データであり、印刷表示色に対応した表示色履歴データである。
【００６１】
次に、ステップＳ２０４において、システム制御回路５０は上記ステップＳ２０３でメモリから読み出した撮影情報（撮影日付、撮影モード、露出補正値等、図１２参照）を画像表示部２８のモニタ画面に表示する（図２（Ｂ）参照）。次に、ステップＳ２０５において、システム制御回路５０は上記複数種類の撮影情報の中から設定変更したい撮影情報の入力を受付ける状態となる。ここで操作者は強調表示したい撮影情報を選択ボタンにより選択する。選択ボタンは操作部７０に含まれるメニュー移動プラスマイナスボタンを兼用してもよく、この選択時の表示は図６に示すように選択した強調表示する撮影情報を拡大表示に変化させてもよい。
【００６２】
上記ステップＳ２０５で強調表示したい撮影情報の入力を受付けると、ステップＳ２０６に進み、選択された強調表示したい撮影情報の部分を点滅表示（ブリンク）し、再度ステップＳ２０５に戻りステップＳ２０５〜ステップＳ２０６をループする。所定時間の入力受付け状態が経過すると、ステップＳ２０７に進み、システム制御回路５０は操作部７０における色設定ボタンのＯＮ／ＯＦＦ判定を行う。ここでは撮影情報に対しての選択ボタンによる色設定受付け状態となる。選択ボタンは操作部７０に含まれるメニュー移動プラスマイナスボタンを兼用してもよい。
【００６３】
上記ステップＳ２０７で色設定ボタンが押下されると、ステップＳ２０８に進み、システム制御回路５０は図３の配色データテーブル（パレットテーブル）から現在のパレットデータを読み込む。次に、ステップＳ２０９において、システム制御回路５０はパレットデータを更新し、ステップＳ２１０において、更新したパレットデータに基づき画像表示部２８のモニタ画面に表示色を更新して表示する。この時の色設定が行われた後の表示は、図６に示すように更新されるパレットデータと表示色が対応するようにモニタ画面上に展開される。
【００６４】
次に、ステップＳ２１１において、システム制御回路５０は色設定が行われたか否かを確認するため所定時間待機し、色設定が続行されると判断した場合は、上記ステップＳ２０７に戻り一連のシーケンスを繰り返す。この時の確認方法としては、所定時間内の色設定変更が無ければＯＫと判断して次に進んでもよく、画像表示部２８のモニタ画面に「設定  ＯＫ？」などのメッセージを表示することにより確認を促してもよい。次に、ステップＳ２１２において、システム制御回路５０は最終的に設定された撮影情報の種類と色データを表示色履歴データとして、不揮発性メモリ５６やシステム制御回路５０に接続されるその他のメモリに書き込む。また、画像データと共に記録媒体に保存される印刷表示色データを履歴更新して表示色履歴データとして記録媒体に書き込み、リターンして本処理を終了する。
【００６５】
上述したように、撮影情報に対応した色データを表示色履歴データとしてメモリに記憶することで、システム制御回路５０はいつでも表示色履歴データを読み出し表示することが可能である。そして、メモリに記憶された表示色履歴データは記録媒体２００或いは２１０を介して印刷情報としてプリンタで展開され、撮影情報に対応した印刷表示色で印刷することが可能となる。
【００６６】
「第１の実施の形態の変形例」
次に、第１の実施の形態の変形例を説明する。上記第１の実施の形態では、図６に示したように撮影情報を示す撮影情報文字部の印刷表示色と画像周囲のフレーム枠の印刷表示色を同じ色とする同一化することで撮影情報と画像を対応付けたが、本発明はこれに限定されるものではなく、変形例に示すように他の印刷表示例とすることも可能である。
【００６７】
図９（Ａ）〜（Ｃ）は上記図６と同様に１コマ画像を単独で印刷した場合の一例を示す図であり、上記図５で示したインデックスプリントにおける複数の画像から画像を１枚ずつ選んで印刷した状態を示している。
【００６８】
図９（Ａ）は、初期撮影日を仮に２００１年１２月２３日とした場合の画像印刷表示（図５のＰ１画像の選択時）を表しており、画像周囲の背景色と撮影情報の色分け変数となる撮影日情報文字部がＣ１＝赤色により印刷表示されている。また、撮影日情報文字部の背景色をＢＣ１とし、Ｃ１（赤色）とは対照的な色を選択する。ＢＣ１はプログラム上の配色データから選択されており、基本的に固定色としてもよいが、強調したい撮影情報の表示色に対して同系色は避けるように設定される。
【００６９】
図９（Ｂ）は、次の撮影日を仮に２００１年１２月２４日とした場合の画像印刷表示（図５のＰ３画像の選択時）を表しており、画像周囲の背景色と撮影情報の色分け変数となる撮影日情報文字部がＣ２＝青色により印刷表示されている。また、撮影日情報文字部の背景色をＢＣ１とし、Ｃ２（青色）とは対照的な色を選択する。
【００７０】
図９（Ｃ）は、次の撮影日を仮に２００２年１月１日とした場合の画像印刷表示（図５のＰ６画像の選択時）を表しており、画像周囲の背景色と撮影情報の色分け変数となる撮影日情報文字部がＣ３＝黄色により印刷表示されている。また、撮影日情報文字部の背景色をＢＣ１とし、Ｃ３（黄色）とは対照的な色を選択する。
【００７１】
上記のように、予め所定の区分毎に色が設定される色変数元となる撮影情報である日付と画像周囲の背景色を、同一色により印刷し表示することで、画像と撮影情報の関連付けを容易に確認することができる。また、日付以外の撮影情報を表示している場合は、日付以外の撮影情報は強調する必要は無いので通常の固定色とし、配色が重複しないように設定されることは言うまでもない。尚、図９に示す画像及び撮影情報は、デジタルカメラの画像表示部２８のモニタ画面上にも同様に表示することで、プリンタによる印刷前に予め確認できるようにしてもよい。その場合は、例えば図９（Ａ）の表示中に色設定ボタンが押下されることで表示色を変更していき、次々に図３の配色データテーブル（パレットテーブル）と対応した色を設定できるようにしてもよい。
【００７２】
以上説明したように、第１の実施の形態によれば、縮小した複数の撮影画像を１枚の印画紙に印刷するインデックスプリントや、単一の撮影画像を１枚の印画紙に印刷する１コマプリントにより、撮影画像と撮影情報を対応付けて印刷する場合において、撮影情報の区分（例えば、日付の区分）に応じた印刷表示色で撮影情報を印刷することで、撮影画像と撮影情報の対応が一目瞭然となり、特に、複数の画像を縮小印刷するインデックスプリントにおいては従来のものより遥かに視認性が向上し、印刷した撮影画像を管理する画像管理作業を円滑に行うことができる。
【００７３】
また、記録媒体に対し画像と共に撮影情報の印刷表示色の設定データも記憶しておくことで、デジタルカメラにおける撮影画像の表示と撮影情報の色分け表示にとどまらず、プリンタで撮影画像及び撮影情報を関連付けて印刷する際に撮影情報の色分け印刷を行うことが可能となり、システム化した画像管理を行うことができる。
【００７４】
［第２の実施の形態］
次に、本発明の第２の実施の形態を説明する。第２の実施の形態のデジタルカメラの構成は第１の実施の形態と同様であり（図１参照）、デジタルカメラ各部の詳細は上述したので説明を省略する。第１の実施の形態の構成を基に、第２の実施の形態を以下に示す。
【００７５】
図１０、図１１は、デジタルカメラのシステム制御回路５０に接続される不揮発性メモリ５６に記憶されている色データテーブルの例を示す図である。色データテーブルの色データは、撮影情報における予め所定の区分毎に色が設定される色変数元データとなる。図１０の色データテーブルでは撮影モードに対応して色データ（印刷表示色）を更新していき、図１１の色データテーブルではＴｖ（シャッタ優先ＡＥモード）値に対応して色データ（印刷表示色）を更新していく。撮影情報と色データの関係を示す色データテーブルは図示の構成に限定されるものではなく、その他、Ａｖ（絞り優先ＡＥモード）値、露出補正量、レンズ種類、ズーム値、ストロボの有無やその種類、ＩＳＯ感度量、ＡＷＢのオン情報、記録画素数量、ファイルナンバー値などの撮影情報であれば、印刷表示色と対応付けた色データテーブルを設定することができる。
【００７６】
図１０では、モードダイアルスイッチ６０の撮影モードがＭ（マニュアルモード）に設定されたときを「Ｃ１＝赤」に設定し、撮影モードがＴｖ（シャッタ優先ＡＥモード）に設定されたときを「Ｃ２＝青」に設定し、撮影モードがＡｖ（絞り優先ＡＥモード）に設定されたときを「Ｃ３＝黄」に設定し、撮影モードがＰ（プログラムＡＥモード）に設定されたときを「Ｃ４＝緑」に設定している。図１０の色データテーブルの色データは図３の配色データテーブル（パレットテーブル）の配色データと照合され、プリント画像に付加する撮影情報の印刷表示色として用いられる。
【００７７】
図１１では、上記図１０とは別の例として撮影時の露出に関わるＴｖ値に対して色データテーブルを設定している。例えばデジタルカメラのシャッタ制御限界値がＴｖ＝１／４０００秒であった場合は、Ｔｖ＝１／４０００秒〜Ｔｖ＝１／２５０秒の間は（Ｃ１＝赤）に設定し、Ｔｖ＝１／２５０秒〜Ｔｖ＝１／８秒の間は（Ｃ２＝青）に設定し、Ｔｖ＝１／８秒〜Ｔｖ＝１秒の間は（Ｃ３＝黄）に設定し、Ｔｖ＝１秒〜Ｔｖ＝３０秒の間は（Ｃ４＝緑）に設定し、シャッタ１２を無定期間開放させるｂｕｌｂは（Ｃ５＝紫）に設定している。
【００７８】
図１０、図１１に示す撮影情報に関連付けられた色データはデジタルカメラの初期設定として不揮発性メモリ５６に記憶されており、デジタルカメラ側において再設定を行えば不揮発性メモリ５６の記憶内容を書き換えることができ、撮影者の個人データとして登録することも可能である。
【００７９】
図１２は色変換データテーブルを示す図であり、撮影情報に色変換データを対応付けて設定したものである。図１２では印刷表示色を変更する撮影情報（撮影モード〜ファイルナンバー）と色変換データとの対応関係がデータ化されているので、システム制御回路５０は各撮影情報に対する色変換データの設定を容易に知ることができ、色変換データの設定を容易に変更することができる。色変換データテーブルは、不揮発性メモリ５６或いはシステム制御回路５０に接続されるその他のメモリに格納される。
【００８０】
図１３はデジタルカメラのシステム制御回路５０の動作を示すフローチャートである。本フローチャートに基づき、色データテーブルにおける色データの読み込み及び色変換データテーブルの更新に関わる撮影情報履歴データモードの処理ルーチンを説明する。本処理ルーチンが開始されるのは色分けする（印刷表示色を設定しようとする）撮影情報を設定する時であり、撮影画像と共に撮影情報の色変換データが履歴データとして同時に記憶され、印刷時において展開される。
【００８１】
先ず、ステップＳ３０１において、システム制御回路５０は設定されている色変数元データ（色変換データテーブルのデータ）をメモリから読み込む。この時のメモリは、色変換される撮影情報が記憶されている上述した不揮発性メモリ５６や、システム制御回路５０に接続されるその他のメモリである。色変数元データは、記録媒体に画像データと共に記憶された撮影情報の履歴データであり、撮影情報と対応した履歴データである。上記ステップＳ３０１で色変数元となる色変換データテーブルを読み込むと、ステップＳ３０２に進み、システム制御回路５０は色変換データテーブルにおける色分けしたい撮影情報の色変換データを更新するか否かの判定を行う。
【００８２】
上記ステップＳ３０２で操作部７０における撮影情報の色分け設定ボタンが押下されたと判断した場合は、撮影情報の色変換データを更新すると判断し、ステップＳ３０３に進み、システム制御回路５０は色変換データテーブルにおける撮影情報の色変換データを更新する。更新される色変換データは、画像に付加する上記ステップＳ３０１において読み出したデータであり、撮影情報に対応した色変換データである。上記ステップＳ３０２で操作部７０における撮影情報の色分け設定ボタンが押下されないと判断した場合は、システム制御回路５０は撮影情報の色変換データを更新せずに、リターンして本処理を終了する。
【００８３】
上述したように、撮影者の強調したい撮影モードの設定を容易に行うことができ、色変換データは撮影後に画像と同時に記録媒体２００或いは２１０に記憶され、記録媒体２００或いは２１０を介してプリンタにおいて展開し印刷することが可能となり、撮影情報の印刷表示色の変更を一目で確認することができる。更に、プリンタ側が上記と同様な印刷表示色設定機能を備えていれば、デジタルカメラとプリンタとの間で記録媒体を介して撮影情報の色分け変更履歴に関する相互の情報交換を行うことができ、プリンタにおいて設定した色分け変更履歴をデジタルカメラにおいて展開し表示することも可能である。
【００８４】
以上説明したように、第２の実施の形態によれば、撮影情報と該撮影情報の印刷表示色を変換するための色変換データとの関連付けを行うことで、撮影者が強調したい撮影情報の印刷表示色を択一的に選択することができ、撮影者の意図を撮影情報の印刷表示色に反映させることができる。
【００８５】
［他の実施の形態］
上記実施の形態では、図３に示す配色データテーブル（パレットテーブル）、図４、図１０、図１１に示す色データテーブル、図１２に示す色変換テーブルを例に挙げたが、本発明はこれに限定されるものではなく、撮影情報の区分（日付の区分、撮影モードの区分、露出値の区分等）、色の種類、色の割り当ては任意とすることが可能である。
【００８６】
また、本発明の目的は、実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００８７】
この場合、記憶媒体から読み出されたプログラムコード自体が前述した実施の形態の機能を実現することになり、そのプログラムコードを記憶した記憶媒体は本発明を構成することになる。
【００８８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００８９】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００９０】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００９１】
［実施態様の例］
本発明の実施態様の例を以下に列挙する。
【００９２】
「実施態様１」  撮影画像に関連付けられる撮影情報の複数の区分に対応付けて前記撮影情報の印刷表示色を格納する色格納手段と、強調表示対象の撮影情報を指定する指定手段と、前記指定された前記撮影情報の印刷表示色を前記色格納手段から選択すると共に、前記撮影情報を撮影画像に関連付けて印刷装置により印刷する際に、前記撮影情報を前記選択された印刷表示色で印刷可能に制御する制御手段とを有し、
前記撮影情報とは、日付、撮影モード、露出値を含み、前記撮影情報の複数の区分とは、所定の日付からの時間経過に基づく複数の区分、撮影モードをシャッタ優先とするか絞り優先とするか等に基づく複数の区分、露出値をどの数値範囲に設定するかに基づく複数の区分を含むことを特徴とする撮影情報処理装置。
【００９３】
本構成により、撮影情報の複数の区分に対応付けられた印刷表示色から所望の印刷表示色を選択して撮影情報をその印刷表示色で印刷することで、撮影情報の印刷表示色を変化させることが可能となる。
【００９４】
「実施態様２」  撮影画像に関連付けられる撮影情報の複数の区分に対応付けて前記撮影情報の印刷表示色を格納する色格納手段と、撮影画像を記憶する記憶手段と、強調表示対象の撮影情報を指定する指定手段と、前記指定された前記撮影情報の印刷表示色を前記色格納手段から選択すると共に、前記記憶手段を介して前記撮影情報を撮影画像に関連付けて印刷装置により印刷する際に、前記撮影情報を前記選択された印刷表示色で印刷可能に、前記撮影情報の印刷表示色を示す情報を前記記憶手段に記憶する制御手段とを有することを特徴とする撮影情報処理装置。
【００９５】
本構成により、撮影画像と共に撮影情報の印刷表示色を示す情報を記憶手段（記録媒体）に記憶することで、撮像装置に直接印刷装置を接続せずに、記憶手段（記録媒体）を介して印刷装置側において撮影画像及び撮影情報を展開して印刷することが可能となる。
【００９６】
「実施態様３」  前記撮影情報とは、日付、撮影モード、露出値を含み、前記撮影情報の複数の区分とは、所定の日付からの時間経過に基づく複数の区分、撮影モードをシャッタ優先とするか絞り優先とするか等に基づく複数の区分、露出値をどの数値範囲に設定するかに基づく複数の区分を含むことを特徴とする実施態様２記載の撮影情報処理装置。
【００９７】
「実施態様４」  前記記憶手段は、前記撮影画像を生成する撮像装置及び前記印刷装置に着脱自在に装着可能なメモリカード等の記録媒体を含むことを特徴とする実施態様２記載の撮影情報処理装置。
【００９８】
「実施態様５」  前記撮影情報は、前記印刷装置により前記撮影情報をその印刷表示色で印刷する形態と同様の形態で表示手段により表示可能であることを特徴とする実施態様１〜３の何れかに記載の撮影情報処理装置。
【００９９】
本構成により、撮影情報の印刷表示色の設定内容を表示手段によりモニタできるようになり、撮像装置側において印刷前の撮影情報の印刷表示色の確認、或いは記録媒体を介して印刷装置側において撮影情報の印刷表示色の確認を行うことが可能となる。
【０１００】
「実施態様６」  前記撮影情報としての前記日付、前記撮影モード、前記露出値を含む撮影条件は、任意に設定可能であり、設定された前記撮影情報としての撮影条件は、前記記憶手段に個人データとして登録可能であることを特徴とする実施態様１〜３、５の何れかに記載の撮影情報処理装置。
【０１０１】
本構成により、撮影情報の印刷表示色を設定するに際し撮影条件を任意に選択できるようになり、撮影者の意思が反映された個人データとして登録することが可能となる。
【０１０２】
「実施態様７」  前記撮影情報の印刷表示色は、任意に設定可能であり、設定された前記撮影情報の印刷表示色は、前記記憶手段に個人データとして登録可能であることを特徴とする実施態様１〜３、５〜６の何れかに記載の撮影情報処理装置。
【０１０３】
本構成により、印刷表示色を任意に設定することができるようになり、撮影者の意思が反映された個人データとして登録することが可能となる。
【０１０４】
「実施態様８」  前記撮影情報は、撮影画像の周囲の一部或いは撮影画像に重ねた状態で前記印刷表示色により印刷されることを特徴とする実施態様１〜３、５〜７の何れかに記載の撮影情報処理装置。
【０１０５】
本構成により、撮影情報を構成する文字や図形やキャラクタを撮影画像の周囲の一部或いは撮影画像に重ねた状態で印刷表示色により印刷することで、撮影画像の管理を容易に行うことが可能となる。
【０１０６】
「実施態様９」  前記撮影情報を撮影画像に関連付けて前記印刷印刷表示色により印刷する印刷形態は、複数の撮影画像を縮小して同一の印刷媒体上に印刷するインデックスプリントによる印刷形態を含むことを特徴とする実施態様１〜３、５〜８の何れかに記載の撮影情報処理装置。
【０１０７】
本構成により、複数の撮影画像を縮小したインデックスプリントにおいても、撮影情報に印刷表示色を反映した印刷表示が可能となり、複数コマの撮影画像と撮影情報の対応が一目瞭然となる。
【０１０８】
「実施態様１０」  前記撮影情報の印刷表示色を更新するための色変換データを格納する色変換格納手段を有し、前記制御手段は、前記撮影情報の印刷表示色の更新が指示された場合、前記色変換格納手段における該当する色変換データを変更することを特徴とする実施態様１〜３、５〜９の何れかに記載の撮影情報処理装置。
【０１０９】
「実施態様１１」  前記実施態様１乃至１０の何れかに記載の撮影情報処理装置を備えたことを特徴とする撮像装置。
【０１１０】
「実施態様１２」  撮影画像に関連付けられる強調表示対象の撮影情報を指定する指定工程と、前記撮影情報の複数の区分に対応付けて前記撮影情報の印刷表示色を格納した色格納手段から、前記指定された前記撮影情報の印刷表示色を選択すると共に、前記撮影情報を撮影画像に関連付けて印刷装置により印刷する際に、前記撮影情報を前記選択された印刷表示色で印刷可能に制御する制御工程とを有することを特徴とする印刷表示色管理方法。
【０１１１】
「実施態様１３」  撮影画像に関連付けられる強調表示対象の撮影情報を指定する指定工程と、前記撮影情報の複数の区分に対応付けて前記撮影情報の印刷表示色を格納した色格納手段から、前記指定された前記撮影情報の印刷表示色を選択すると共に、撮影画像を記憶する記憶手段を介して前記撮影情報を撮影画像に関連付けて印刷装置により印刷する際に、前記撮影情報を前記選択された印刷表示色で印刷可能に、前記撮影情報の印刷表示色を示す情報を前記記憶手段に記憶する制御工程とを有することを特徴とする印刷表示色管理方法。
【０１１２】
「実施態様１４」  撮影画像に関連付けられる強調表示対象の撮影情報を指定する機能と、前記撮影情報の複数の区分に対応付けて前記撮影情報の印刷表示色を格納した色格納手段から、前記指定された前記撮影情報の印刷表示色を選択すると共に、前記撮影情報を撮影画像に関連付けて印刷装置により印刷する際に、前記撮影情報を前記選択された印刷表示色で印刷可能に制御する機能を、コンピュータに実現させるためのプログラム。
【０１１３】
「実施態様１５」  撮影画像に関連付けられる強調表示対象の撮影情報を指定する機能と、前記撮影情報の複数の区分に対応付けて前記撮影情報の印刷表示色を格納した色格納手段から、前記指定された前記撮影情報の印刷表示色を選択すると共に、撮影画像を記憶する記憶手段を介して前記撮影情報を撮影画像に関連付けて印刷装置により印刷する際に、前記撮影情報を前記選択された印刷表示色で印刷可能に、前記撮影情報の印刷表示色を示す情報を前記記憶手段に記憶する機能を、コンピュータに実現させるためのプログラム。
【０１１４】
「実施態様１６」  印刷表示色管理方法を実行するプログラムを記憶したコンピュータにより読み出し可能な記憶媒体において、
前記印刷表示色管理方法は、撮影画像に関連付けられる強調表示対象の撮影情報を指定するステップと、前記撮影情報の複数の区分に対応付けて前記撮影情報の印刷表示色を格納した色格納手段から、前記指定された前記撮影情報の印刷表示色を選択すると共に、前記撮影情報を撮影画像に関連付けて印刷装置により印刷する際に、前記撮影情報を前記選択された印刷表示色で印刷可能に制御するステップとを有することを特徴とする記憶媒体。
【０１１５】
「実施態様１７」  印刷表示色管理方法を実行するプログラムを記憶したコンピュータにより読み出し可能な記憶媒体において、
前記印刷表示色管理方法は、撮影画像に関連付けられる強調表示対象の撮影情報を指定するステップと、前記撮影情報の複数の区分に対応付けて前記撮影情報の印刷表示色を格納した色格納手段から、前記指定された前記撮影情報の印刷表示色を選択すると共に、撮影画像を記憶する記憶手段を介して前記撮影情報を撮影画像に関連付けて印刷装置により印刷する際に、前記撮影情報を前記選択された印刷表示色で印刷可能に、前記撮影情報の印刷表示色を示す情報を前記記憶手段に記憶するステップとを有することを特徴とする記憶媒体。
【０１１６】
【発明の効果】
以上説明したように、本発明によれば、指定された撮影情報の印刷表示色を色格納手段から選択すると共に、撮影情報を撮影画像に関連付けて印刷装置により印刷する際に、撮影情報を前記選択された印刷表示色で印刷可能に制御する。これにより、例えば、複数の撮影画像を縮小して１枚の印刷媒体上に印刷するインデックスプリントや、単一の撮影画像を１枚の印刷媒体上に印刷する１コマプリントにより、撮影画像と撮影情報を対応付けて印刷する場合において、撮影情報の区分（例えば、日付の区分、撮影モードの区分、露出値の区分等）に応じた印刷表示色で撮影情報を印刷することで、撮影画像と撮影情報の対応が一目瞭然となり、特に、複数の画像を縮小印刷するインデックスプリントにおいては従来のものより遥かに視認性が向上し、印刷した撮影画像を管理する画像管理作業を円滑に行うことができる。
【図面の簡単な説明】
【図１】本発明の第１の実施の形態に係るデジタルカメラの構成例を示すブロック図である。
【図２】（Ａ）はサムネイル画像を並べたマルチ画像を示す図、（Ｂ）はマルチ画像の中から所定の画像を選択し単独表示とした場合を示す図である。
【図３】画像表示色の配色データテーブルを示す図である。
【図４】色データテーブルを示す図である。
【図５】インデックスプリントの表示例を示す図である。
【図６】（Ａ）は初期撮影日を所定年月日とした場合の画像印刷表示を示す図、（Ｂ）は次の撮影日を所定年月日とした場合の画像印刷表示を示す図、（Ｃ）は次の撮影日を所定年月日とした場合の画像印刷表示を示す図である。
【図７】色履歴データモードの動作を示すフローチャートである。
【図８】印刷表示色設定モードの動作を示すフローチャートである。
【図９】（Ａ）は初期撮影日を所定年月日とした場合の画像印刷表示の変形例を示す図、（Ｂ）は次の撮影日を所定年月日とした場合の画像印刷表示の変形例を示す図、（Ｃ）は次の撮影日を所定年月日とした場合の画像印刷表示の変形例を示す図である。
【図１０】本発明の第２の実施の形態に係る撮影モードの色データテーブルを示す図である。
【図１１】Ｔｖ値の色データテーブルを示す図である。
【図１２】色変換データテーブルを示す図である。
【図１３】撮影情報履歴データモードの動作を示すフローチャートである。
【図１４】従来例に係る画像と撮影情報を印画紙の同一面に印字した例を示す図である。
【符号の説明】
２８  画像表示部（表示手段）
５０  システム制御回路（制御手段）
５６  不揮発性メモリ（色格納手段、色変換格納手段）
７０  操作部（指定手段）
１００  画像処理装置（撮像装置）
２００、２１０  記録媒体（記憶手段）
【図１】
2004187239.tif 000003
【図２】
2004187239.tif 000004
【図３】
2004187239.tif 000005
【図４】
2004187239.tif 000006
【図５】
2004187239.tif 000007
【図６】
2004187239.tif 000008
【図７】
2004187239.tif 000009
【図８】
2004187239.tif 000010
【図９】
2004187239.tif 000011
【図１０】
2004187239.tif 000012
【図１１】
2004187239.tif 000013
【図１２】
2004187239.tif 000014
【図１３】
2004187239.tif 000015
【図１４】
2004187239.tif 000016